(57)【要約】【課題】従来の３Ｄ表示可能な携帯情報端末は、２個のカメラを備えるため、高価格化、高消費電力化を招き不経済である。【解決手段】本発明は、１個の撮影手段と、上記撮影手段で撮影された画像に視差情報を付与して３Ｄ画像を作成する手段と、作成された３Ｄ画像を表示可能な表示手段と、を備えることを特徴とする３Ｄ表示機能を備える携帯機器を提供する。【選択図】　図５
2004040445.tif 000002
【特許請求の範囲】
【請求項１】
撮影手段と、
上記撮影手段で撮影された画像に視差情報を付与して３Ｄ画像を作成する手段と、
作成された３Ｄ画像を表示可能な表示手段と、を備えることを特徴とする３Ｄ表示機能を備える携帯機器。
【請求項２】
１個の撮影手段と、
上記撮影手段で撮影された画像に視差情報を付与して３Ｄ画像を作成する手段と、
作成された３Ｄ画像を表示可能な表示手段と、を備えることを特徴とする３Ｄ表示機能を備える携帯機器。
【請求項３】
上記撮影された画像から人の顔を切り出し、切り出された顔画像に対して視差情報を付与することを特徴とする請求項２に記載の３Ｄ表示機能を備える携帯機器。
【請求項４】
上記撮影された画像の中から特定の被写体を選択する手段と、
選択された被写体画像に対して、残りの画像とは異なる視差情報を付与することを特徴とする請求項２に記載の３Ｄ表示機能を備える携帯機器。
【請求項５】
上記撮影手段は、２Ｄ画像撮影用であることを特徴とする請求項１、請求項２請求項３または請求項４に記載の３Ｄ表示機能を備える携帯機器。
【請求項６】
通信制御手段と送受話手段とを有することを特徴とする請求項５に記載の３Ｄ表示機能を備える携帯機器。
【請求項７】
２Ｄ画像を入力するステップと、
入力された２Ｄ画像から人の顔画像を切り出すステップと、
切り出された顔画像に対して視差情報を付与して３Ｄ画像を作成するステップと、
作成された３Ｄ画像を出力するステップと、をコンピュータに実行させるための３Ｄ変換プログラム。
【発明の詳細な説明】
【０００１】
【発明の属する技術分野】
本発明は、３Ｄ表示機能を備える携帯機器に関するものである。
【０００２】
【従来の技術】
近年、携帯機器は小型化、高機能化が進み、携帯端末、携帯パソコン、携帯電話機等はカメラ機能が付加されている。例えば、カメラ付き携帯電話は最近普及し始め、撮影した画像を待ち受け画面に設定したり、撮影した画像をその場で通話相手に送信できるため便利である。
【０００３】
又、特開平１０−１０８１５２号公報には、高機能化の一環として、両眼視差を利用して３Ｄ表示させる携帯情報端末が開示されている。奥行き感のある立体画像を表示できるため、２次元画像に比べて臨場感、迫力感が増し、テレビ電話に応用される。この携帯情報端末は、２個のカメラを備えた腕に装着するタイプのものであり、２個のカメラで撮影された被写体の動きの水平方向成分に応じて時間差をつけた２枚の映像を生成し、それぞれを観察者の右目と左目に与えて３Ｄ表示を実現している。なお、３Ｄ表示とは視差を利用して立体表示することを意味している。
【０００４】
【発明が解決しようとする課題】
しかしながら、上記従来の携帯情報端末は、２個のカメラを備えるため、高価格化、高消費電力化を招き不経済である。
【０００５】
また、２個のカメラで撮影した画像を両眼視差を利用して３Ｄ表示するためには、２個のカメラを人の両眼の視差に相当する間隔だけ離して配置した状態で撮影することが望ましい。しかし、その間隔を保ちつつ他の構成部品を配置しようとすると、２個のカメラの配置による制約を受け、小型化、デザイン性が低下する。
【０００６】
さらに、移動している被写体をカメラで撮った画像を３Ｄ表示画像とするのであるから、実質的には十分な画像とは言いがたい。しかも、カメラでは通常２Ｄ画像を撮影し、必要に応じて３Ｄ画像を撮影表示させるユーザにとっては、普段は２個のカメラのうちの１個しか使用しないことになる。
【０００７】
従って、３Ｄ表示のために２個のカメラを設けることは、上述の高価格化、高消費電力化の問題や、小型化、デザイン性低下の問題を有しており、携帯情報端末における３Ｄ機能の実用化を困難にしていた。特に、携帯電話は小型、軽量、安価等の必要性があり、２個のカメラを設けることは困難である。
【０００８】
【課題を解決するための手段】
本発明は、カメラ機能付き携帯端末例えばカメラ付き携帯電話機において、１個のカメラで撮影した通常の２Ｄ画像に対して、３Ｄ変換プログラムにより視差情報を付与して３Ｄ画像を作成して３Ｄ表示させる。視差情報の求め方は複数ある。例えば、携帯電話機で撮影する場合の平均距離に基づいて求めることができる。また、撮影した画像の明るさの強度に基づいて求めることができる。また、被写体に光を照射しその反射光の強度に基づいて求めることができる。また、ユーザの選択した被写体に対して選択しなかった残り画像と異なる視差を与えるように求めることができる。更に、予め得られている立体モデル情報を用いることにより、近似的に視差情報を得ることが出来る。
【０００９】
上述の構成により、１個のカメラを備える携帯電話機で撮影した画像を、その場で簡単に３Ｄ表示することができる。しかも、携帯電話機は、ポケットサイズでいつも持ち歩いているため、例えば、空港で見送りに来てくれた人の別れ際の表情を撮影する場合など、とっさのシャッターチャンスにも素早く対応できる。
そして、逃さず撮影した自分のお気に入りの画像を迫力のある３Ｄ画像で楽しむことができる。
【００１０】
３Ｄ画像を本格的に楽しむのではなく、たまに利用して楽しみたいと思っているユーザにとっても、いつも持ち歩く身近な携帯電話機で、自分が撮影したお気に入り画像を手軽に３Ｄ表示できるので、遊び感覚で楽しむこともできて実益がある。
【００１１】
【発明の実施の形態】
＜実施形態１＞
本発明の実施の形態について、図１から図７に基づいて説明する。本発明は、任意の携帯機器に適用できるが、以下では、好適な実施形態として、折り畳み可能なカメラ付き携帯電話機について説明する。
【００１２】
図１は、本実施形態に係る携帯電話機の要部構成を示すブロック図であり、図示しない基地局と通信する通信制御部１０１と、マイク１０２からの音声信号を符号化すると共に、通話相手の音声信号を復号する音声信号処理部１０３と、復号した音声信号を再生するスピーカ１０４と、プログラムを実行して携帯電話機全体を制御するプロセッサ１０５と、プロセッサ１０５により参照されるメモリ１０６と、ユーザの入力を受け付けるキー操作部１０７と、ＣＣＤカメラ等の一般的な２Ｄ画像撮影用のカメラモジュール１０８と、メイン画面用のカラー液晶モジュール１０９と、サブ画面用のカラー液晶モジュール１１０とが設けられている。
【００１３】
図２（Ａ）は、折り畳み可能な携帯電話機２０１を開いた状態での内側（キー面）から見た外観を示しており、図２（Ｂ）は閉じた状態での外側（背面）から見た外観を示している。
【００１４】
図２に示すように、スピーカ１０４は、携帯電話機の蓋部内側の上方中央に、マイク１０２は、本体部内側の下方中央にそれぞれ配されているため、開いた状態で通話がし易い。また、テンキーや十字キー２０９等からなる操作キー２０４は本体部内側に配され、メイン画面２０３は四角い形状で蓋部内側に配されており、開いた状態で操作性が良い。さらに、カメラ２０６は、蓋部外側のひんじ近くの中央付近に配され、サブ画面２０７は四角い形状で蓋部外側の中央付近に配されており、閉じた状態でもサブ画面２０７で被写体を確認しながら撮影ができる。また、背面キー２０８は、サブ画面２０７の下方に配され、閉じた状態でシャッタキーとして使用できる。このキー２０８は実施態様では１個であるが複数を併設し、サブ画面２０７に表示される情報を切り換える操作キー（例えばスクロールキー、蓄積中の３Ｄ画像の選択キー等）として使い分ける事が出来る。開いた状態で撮影する場合は、メイン画面２０３あるいはサブ画面２０７で被写体を確認しながら、操作キー２０１のいずれかのキーをシャッタキーとして利用して撮影する。
【００１５】
メイン画面２０３は３Ｄ表示可能な液晶モジュールで構成されているが、メイン画面２０３とサブ画面２０７の両方または一方を３Ｄ表示可能な液晶モジュールにしてもよい。サブ画面２０７に待ち受け画面としてお気に入りの３Ｄ画像を表示させておくと、利用者は携帯電話機を開かなくても常に３Ｄ画像を見ることができるため付加価値が上がる。
【００１６】
図３は、メイン画面２０３に使用する３Ｄ表示可能な液晶モジュールの要部構成の平面断面図を示しており、バックライト３０１と、偏光角の切替可能な切替用液晶素子３０２と、スリット状にパターン化したパターン化位相差板３０３と、ＴＦＴ液晶３０４とが設けられている。
【００１７】
３Ｄ画像を表示させる場合は、切替用液晶素子３０２の偏光角を切り替えることによりパターン化位相差板３０３との位相関係を変化させることにより、左目用画像がＬ画素３０６（図中において白画素で表示）を通過して右目に投影されないように遮断する（破線３０９）。右目用画像についても同様に、右目用画像がＲ画素３０５（図中において黒画素で表示）を通過して左目に投影されないように遮断する（破線３１０）。
【００１８】
このように、観察者の右目には右目用画像だけが映し出され、また、左目には左目用画像だけが映し出されるため、観察者の右目と左目に異なる映像が与えられ、その結果、観察者は奥行き感のある３次元立体画像（３Ｄ画像）を知覚できる。
【００１９】
また、２Ｄ画像（通常の２次元平面画像）を表示させる場合は、切替用液晶３０２とパターン化位相差板３０３による光の遮断を行わない。このように、切替用液晶３０２とパターン化位相差板３０３を電気的に制御することにより、２Ｄ画像と３Ｄ画像とを切り替えて表示することができる。２Ｄ画像と３Ｄ画像との切替操作は、例えば、操作キー２０４の任意のキー例えば電源キーを軽く押下して行えばよい。
【００２０】
なお、本発明では、上記構成の液晶モジュールを用いているが、レンチキュラレンズを用いた構成やＴＦＴ液晶３０４の代りにＣＧシリコン液晶を用いた構成など他の構成でも構わない。また、上述の構成では、メイン画面２０３に３Ｄ表示可能な液晶モジュールを用いているが、メイン画面２０３に２Ｄ画像を表示させる通常の液晶モジュールを使用して、その表示を偏光メガネで観察する構成にしてもよい。その場合、２Ｄ画像を表示させる液晶モジュールと偏光メガネとを合わせた構成が３Ｄ表示可能な表示手段となる。
【００２１】
次に、上述の構成の携帯電話機を用いて、カメラ２０６で撮影した２Ｄ画像から３Ｄ画像を作成してメイン画面２０３に表示するまでの処理手順について説明する。
【００２２】
人の顔を撮影して３Ｄ表示する例について、図４に示すフローチャート、図５に示す表示画面例及び図６に示す視差情報を求める際の概念図に基づいて説明する。
【００２３】
図５に示すように、カメラで写し出される被写体５０１の人の顔をメイン画面２０３で確認しながら、気に入った画像が表示されたときに操作キー２０４に割り当てられたシャッタキーを押下して被写体５０１を撮影して２Ｄ画像（静止画）として取り込む（Ｓ４０１）。
【００２４】
次に、プロセッサ１０５により、取り込まれた２Ｄ画像から、目、鼻、口、眉、顎などの人の顔を構成する部品及び顔の輪郭を自動で抽出するか手動で抽出するかのモードが確認される（Ｓ４０２）。この顔画像抽出モードは、携帯電話機のメニュー画面等を利用して予めユーザによって設定してもよいし、操作の度にユーザが設定するようにしてもよい。顔画像抽出モードが手動の場合、ユーザは操作キー２０４を利用して上述の各顔部品の位置を指定し（Ｓ４０３）、その指定された位置情報に基づいて各顔部品の２次元座標が求められる（Ｓ４０４）。
このとき、不図示のペン入力やマウスやジョグダイヤルを利用して選択するようにしておくと操作性がさらによい。なお、顔の２Ｄ画像から３Ｄ画像を作成する場合、鼻が最も立体的に突出することになるので、自動抽出、手動抽出の何れであっても、部品として鼻は必須としておく。特に人間の感覚を考慮した場合、鼻の部分の突出を強調するようにすれば顔の立体感が得られる。
【００２５】
一方、顔画像抽出モードが自動の場合は、エッジ検出などを利用した周知の顔部品抽出技術により各顔部品の２次元座標が求められる（Ｓ４０４）。携帯電話機のように、ユーザからの入力操作が不便な機器では、顔部品を自動で抽出できると都合がよい。また、撮影時に丸や四角の枠をメイン画面１０９に表示させておき、その枠付近に顔画像が位置するように撮影すると、顔部品を抽出する範囲が絞られるため、自動抽出の処理速度、精度が上がる。
【００２６】
各顔部品の２次元座標が求まり顔画像が切り出されると、次に、特開２００１−１０９９０７号公報に開示されている３次元モデル生成方法に基づき、人の顔の３次元モデルに各顔部品の座標が投影されて、顔画像全体についての３次元データが求まる（Ｓ４０５）。３次元モデルについては、人の顔の標準的な形状に基づいた標準顔形状モデルを利用すればよいが、丸顔、細顔などの複数種類の顔形状モデルを用意しておき、ユーザが選択するようにしてもよい。また、特定の人物について専用の顔形状モデルを予めメモリ１０６に記憶させておき、その人を撮影してその人専用の顔形状モデルを使用することにより、さらに精密な３Ｄ画像を作成することができる。例えば、携帯電話機の所有者本人の顔形状モデルをメモリ１０６に記憶させておけば、精密な自分の３Ｄ顔画像データを容易に作成できる。図２の携帯電話機を用いれば、蓋を閉じた状態でサブ画面２０７に自分の顔を確認しながら撮影できるため、自分の顔画像を撮影し易い。仲間同士で、それぞれが作成した自分の３Ｄ顔画像をメール添付等の手段でお互いに交換し合えば、精度の高い３Ｄ顔画像を複数人で楽しむことができる。なお、その人専用の顔形状モデルを算出するには計算量が大きいため、サーバで計算させた結果を携帯電話機にダウンロードする構成にしておいてもよい。
【００２７】
顔画像の３次元データが求まると、次に、その３次元データに視差情報を付与する（Ｓ４０６）。ここでは、人の両目の標準的な間隔（例えば約６ｃｍ）と、携帯電話機で人の顔を撮影する場合の標準的な距離（例えば約１ｍ）とに基づいて近似計算を行い、カメラ位置に仮に想定される人の両目と被写体の顔の３点で作られる顔の点を頂点とする角度αを求め、その角度αに相当する視差情報を３次元データに付与する。すなわち、図６に示すように、仮に想定される右目の位置から顔画像の３次元データに投影して変換されたデータを右目用画像データとし、同様に、仮に想定される左目の位置から顔画像の３次元データに投影して変換されたデータを左目用画像データとする。このようにして、右目用画像と左目用画像とを含む３Ｄ画像が作成される（Ｓ４０７）。
【００２８】
作成された３Ｄ画像はメイン画面２０３に表示され、観察者の目には、図５に示すように人の顔がメイン画面に対して浮かび上がったように知覚される（Ｓ４０８）。なお、図５（Ｂ）では、図面作成技術の都合上、顔の鼻の高さや目の窪みなどの立体感が表現されていないが、観察者にはそれらの立体感が知覚され、迫力のある顔画像を楽しむことができる。また、図５（Ｂ）では、人の首や肩の辺りも図５（Ａ）と同様に表示されている。このように顔以外の人の一部についても切り出すようにしてもよいし、着せ替え人形のように予めテンプレートとして用意しておいた服等を着せて表示するようにしてもよい。
【００２９】
上述の例では、カメラ２０６から被写体５０１までの距離を予め所定の距離（例えば１ｍ）として視差情報を算出しているが、撮影の度にユーザがその距離を操作キー２０４を介して入力するようにしてもよい。また、自分の顔を撮影する場合は、携帯電話機を持った方の手を伸ばして撮影する機会が多く、相手の人の顔を撮影する場合に比べて撮影距離が近いため（例えば５０ｃｍ）、自分の顔を撮影する場合には自動的に所定距離を切り替えて視差情報を算出するようにしてもよい。なお、自分の顔を撮影しているか、相手の人の顔を撮影しているかは、例えば蓋の開閉を検出することにより自動的に判別できる。
【００３０】
また、上述の例では、撮影した２Ｄ画像の中から人の顔を切り出して人の顔を３Ｄ表示させているが、人の顔以外の背景画像（図５の飛行機）を人の顔と共に表示してもよい。背景画像と共に表示すると、奥行き感がさらに増し迫力のある画像となる。
【００３１】
また、上述の例では、人の顔の３次元モデルについて説明したが、例えば、ポメラニアンなどの犬の顔の３次元モデルを用意しておき、自分のペットの３Ｄ画像を作成してもよいし、人の体の３次元モデルを用意しておき、人の全身の３Ｄ画像を作成してもよい。
【００３２】
また、上述の例では、被写体を撮影した後、図５（Ａ）のように２Ｄ画像が表示されるが、予め操作キー２０４に３Ｄシャッターボタンを割り当てておき、上述の３Ｄ変換処理を全自動で行うようにしておけば、３Ｄシャッターボタンが押下された後、即座に図５（Ｂ）の３Ｄ画像を表示させることができて便利である。
＜実施形態２＞
アイオーデータ社製の「ＰＬＡＹ３ＤＰＣ」製品キットを用いれば、デジタルカメラで撮影した画像をパソコンに取り込み、取り込んだ画像の各ブロックにおける明るさを専用ソフトで解析して、明るいブロックほど手前に位置するものと仮定して３Ｄ画像を作成することができる。そして、その作成した３Ｄ画像をパソコンに接続されたディスプレイに表示させ、ユーザは液晶メガネを介して３Ｄ画像を観察する。
【００３３】
このように画像の明るさに基づいて３Ｄ画像を作成する技術を利用して、カメラ２０６で撮影した２Ｄ画像を複数のブロックに分割して各ブロックごとの明るさを検出し、明るいブロックほど手前に位置するように視差情報を各ブロックごとに付与して３Ｄ画像を作成し、メイン画面２０３に表示することができる。例えば、手前に自動車があり奥に建物があるような遠近感のある背景画像を表示することができる。
【００３４】
この場合、２Ｄ画像の各ブロックの明るさの強度に応じて各ブロックごとに異なる視差情報を付与して３Ｄ画像を作成しているため、実施形態１で説明した視差情報を算出するための近似計算は必要ない。
＜実施形態３＞
特開２００２−７７９４４公報のように、光を被写体に照射し、その反射光の強度に基づいて被写体の各部までの距離を検出し、その距離情報に基づいて被写体の各部に対して異なる視差を付与して３Ｄ画像を作成し、外付けの立体映像表示装置で表示させる事が出来る。従って、カメラ２０６で撮影した２Ｄ画像の被写体までの距離に応じて被写体各部ごとに異なる視差情報を付与して３Ｄ画像を作成し、メイン画面２０３に表示することができる。この場合、図示しないが、被写体に対して光を照射する手段と、反射光の強度を検出するハード的な構成が必要である。
＜実施形態４＞
カメラ２０６で撮影され、メイン画面２０３に表示されている２Ｄ画像の中から、手前に位置する被写体をユーザが操作キー２０４（例えば、十字キー２０９）を介して選択し、その選択された被写体に対して残りの背景画像とは異なる視差情報を付与して３Ｄ画像を作成してもよい。
【００３５】
例えば、図７（Ａ）に示すように、ユーザは、メイン画面２０３に表示されている選択枠７０１を用いて、人の顔と飛行機を撮影した画像のうち手前に位置する人の顔を操作キー２０４（例えば十字キー２０９）を介して指定する。選択枠７０１の表示は丸でも四角でも構わない。また、大きさが可変の方が被写体を正確に指定しやすい。また、選択枠７０１で被写体を囲むのではなく、不図示のペン入力で切り出す被写体をなぞるようにして指定すると、より正確に被写体を切り出すことができる。
【００３６】
次に、エッジ検出等の画像処理技術を利用して選択された被写体を切り出し、切り出された被写体の画像に対して、残りの背景画像よりも手前に見えるように視差を与えて３Ｄ画像を作成する。図７（Ａ）の場合、髪の毛の一部や肩の辺りが選択枠７０１からはみ出ているが、選択枠７０１から多少はみ出た部分についてもエッジの連続性を推測しながら切り出すようにしてもよい。
【００３７】
選択枠７０１付近の被写体画像が切り出され３Ｄ画像が作成されると、図７（Ｂ）に示すように、ユーザには顔が飛行機よりも浮き出たように知覚される。この場合、実施形態１の３次元モデルを使用していないため、鼻の高さなどの顔の立体感は表現されないが、３次元モデルに関する処理がないため、簡単に３Ｄ画像を作成できる。なお、この場合、被写体は人の顔に限らず建物などであってもよい。
【００３８】
上述の例では、撮影後に選択枠７０１を用いて手前に見せたい被写体を選択するようにしているが、撮影時に選択枠７０１を表示させておき、手前の被写体を選択枠７０１付近に合わせた状態で撮影してもよい。そうすると、撮影後の選択枠７０１を指定する操作が必要なくなるので、シャッタキーを押すだけで一発で３Ｄ画像を表示することができる。
【００３９】
また、上述の例では、被写体を１個だけ選択するようにしているが、手前の方に位置するものから順番に複数個を選択するようにしてもよい。その場合、複数個の各被写体ごとに異なる視差情報を付与する。このように、複数個の被写体を選択して３Ｄ表示すると奥行き感がさらに増して迫力がでる。
【００４０】
上述の各実施形態における被写体撮影用のカメラ２０６は、いずれも通常の２Ｄ画像を撮影するためのカメラでよく、３Ｄ画像のための特別な機能は必要ない。したがって、３Ｄ画像撮影用のカメラをわざわざ用意する必要はなく、従来の携帯電話機に使用されているカメラをそのまま利用できるため都合がよい。
【００４１】
また、上述の各実施形態において、２Ｄ画像から３Ｄ画像を作成するまでの処理の全部または一部はソフトウエアで処理される。この処理を行うための３Ｄ変換プログラムは予め携帯電話機に組み込まれていてもよいし、サーバからダウンロードする形態でもよい。また、この３Ｄ変換プログラムはパソコン等の他の機器で使用しても構わない。
【００４２】
また、上述の各実施形態における処理の全部または一部を互いに組み合わせて処理してもよい。例えば、実施形態１の３次元モデルから３Ｄ画像を作成する処理と実施形態２の画像の明るさの強度に基づいて視差情報を求める処理を組み合わせると、迫力のある３Ｄ顔画像と共に遠近感のある背景画像を表示させることができる。
【００４３】
なお、上記携帯電話機は折り畳み式のタイプのもので説明したが、ストレートタイプのものでも構わない。
【００４４】
また、上記では、静止画を撮影する場合を例にして説明したが、動画を撮影するようにしても構わない。その場合は、動画を構成する複数の画像に対して静止画の場合と同様の処理を逐次行うようにすればよい。
＜実施形態５＞
カメラ２０６で撮影した自分の顔（２Ｄ静止画）を、３Ｄ画像にする場合、上記実施形態２では、パソコン側で処理している。しかしながら、２Ｄ画像を携帯電話本体内に設けた３Ｄ変換用専用ソフトを用いて即座に３Ｄ画像にすることも可能である。両眼用の画像を実写で撮ったものでない点で擬似的３Ｄ画像ではあるが、２Ｄ画像から３Ｄ画像とする市販のソフトを携帯電話に組み込むことで達成することが出来る。
＜実施形態６＞
上記実施形態はカメラで撮った画像を３Ｄとする場合であるが、通信手段により送信されてきた２Ｄ画像（写真、アニメ等）を撮影画像と同様に３Ｄ画像とし、３Ｄ表示することが出来る。その場合、操作キーの一つを３Ｄ画像作成指示キーとすれば良い。
【００４５】
【発明の効果】
本発明によれば、携帯機器に設けたカメラで撮影した２Ｄ画像をその機器で３Ｄ表示することが出来る。
【００４６】
また、本発明によればカメラ付き携帯電話機を用いて被写体を撮影し、その撮影した画像をその場で即座に３Ｄ表示することができる。携帯電話機はいつも持ち歩くものであるから、とっさのシャッターチャンスを逃すことなく画像を撮影して、その画像を３Ｄ表示できる。そして、２Ｄ表示に比べて迫力があるため、その画像を一層楽しむことができる。
【００４７】
１個のカメラで済むため、携帯電話機の小型化、低消費電力化が可能である。また、２個のカメラを用いる場合に比べて、部品配置のための設計の自由度が格段に向上する。
【図面の簡単な説明】
【図１】本発明の実施形態を示すものであり、携帯電話機の要部構成を示すブロック図である。
【図２】折り畳み可能な携帯電話機を開いた状態でのキー面を示す正面図（Ａ）と閉じた状態での背面を示す正面図（Ｂ）である。
【図３】３Ｄ表示可能な液晶ディスプレイの要部構成を示す断面図である。
【図４】実施形態１において、撮影した顔写真から３Ｄ画像を作成する際の動作を示すフローチャートである。
【図５】実施形態１において、撮影した顔写真から３Ｄ画像を作成する際の表示画面例である。
【図６】実施形態１における視差情報の求め方を説明するための概念図である。
【図７】実施形態４において、撮影した顔写真から３Ｄ画像を作成する際の表示画面例である。
【符号の説明】
１０２　マイク
１０４　スピーカ
１０８　カメラモジュール
１０９　メイン画面
１１０　サブ画面
２０１　操作キー
２０２　背面キー
２０６　カメラ
【図１】
2004040445.tif 000003
【図２】
2004040445.tif 000004
【図３】
2004040445.tif 000005
【図４】
2004040445.tif 000006
【図５】
2004040445.tif 000007
【図６】
2004040445.tif 000008
【図７】
2004040445.tif 000009